(57)【要約】【課題】接続口に配管を接続する際に、配管接続の接続方向の組み合わせが複数あることにより、容易に配管接続作業ができる渦流ポンプを提供する。【解決手段】複数の羽根溝を有する円板状のインペラ１２と、インペラ１２を収納する渦流室１３を有するケーシング１と、回転軸１１を有するモータ２とを備え、インペラ１２は回転軸１１の回転により軸回りに回転し、回転するインペラ１２の各羽根溝が渦流室１３内において液体に渦流を発生させることで液体を送り出す渦流ポンプである。ケーシング１は液体を吸い込む吸込口と液体を吐き出す吐出口として接続口を有している。接続口は、第１左接続口５ａ、第２左接続口５ｂ、第１右接続口６ａおよび第２右接続口６ｂを備えている。【選択図】図２
2018123684.tif 000002
【特許請求の範囲】
【請求項１】
複数の羽根溝を有する円板状のインペラと、
前記インペラを収納する渦流室を有するケーシングと、
回転軸を有するモータとを備え、
前記インペラは前記回転軸の回転により軸回りに回転し、
回転する前記インペラの各羽根溝が前記渦流室内において液体に渦流を発生させることで液体を送り出す渦流ポンプであって、
前記ケーシングは液体を吸い込む吸込口と液体を吐き出す吐出口として接続口を有し、
前記接続口は、第１左接続口、第２左接続口、第１右接続口および第２右接続口を含むことを特徴とする渦流ポンプ。
【請求項２】
前記第１左接続口および前記第２左接続口は前記ケーシングの中心よりも左側に設けられ、
前記第１右接続口および前記第２右接続口は前記ケーシングの中心よりも右側に設けられ、
前記第２左接続口は前記第１左接続口よりも上方に設けられ、
前記第２右接続口は前記第１右接続口よりも上方に設けられることを特徴とする請求項１に記載の渦流ポンプ。
【請求項３】
前記第２左接続口に栓をし、
前記第１右接続口に栓をし、
前記渦流室内において、前記インペラの回転により、前記第１左接続口と前記第２右接続口との間を液体が流れることを特徴とする請求項２に記載の渦流ポンプ。
【請求項４】
前記第１左接続口に栓をし、
前記第２右接続口に栓をし、
前記渦流室内において、前記インペラの回転により、前記第２左接続口と前記第１右接続口との間を液体が流れることを特徴とする請求項２に記載の渦流ポンプ。
【請求項５】
前記第１左接続口に栓をし、
前記第１右接続口に栓をし、
前記渦流室内において、前記インペラの回転により、前記第２左接続口と前記第２右接続口との間を液体が流れることを特徴とする請求項２に記載の渦流ポンプ。
【請求項６】
前記第２左接続口に栓をし、
前記第２右接続口に栓をし、
前記渦流室内において、前記インペラの回転により、前記第１左接続口と前記第１右接続口との間を液体が流れることを特徴とする請求項２に記載の渦流ポンプ。
【請求項７】
前記モータは、前記回転軸を逆に回転させることが可能な回路を備えたことを特徴とする請求項１〜６の何れか１項に記載の渦流ポンプ。
【発明の詳細な説明】
【技術分野】
【０００１】
本発明は、カスケードポンプとも称される渦流ポンプに関するものである。
【背景技術】
【０００２】
従来、この種のポンプは、モータの回転軸に接続されたインペラを回転させて、ケーシングの吸込口から水を吸込み、吐出口から吐出させるものが知られている（例えば、特許文献１参照）。
【０００３】
以下、その構造について図を用いて説明する。
【０００４】
図７に、特許文献１に記載された従来の渦流ポンプと同様の渦流ポンプを示す。
【０００５】
図７に示すように、渦流ポンプは、ベース１０１上に正逆回転可能なモータ１０２と、モータ１０２側に設けられた取り付けフレーム１０３と、取り付けフレーム１０３に取り付けられ、内部にモータ１０２に備えられた回転軸に取り付けて回転されるインペラを備えたケーシング１０４と、このケーシング１０４の周側面部に回転軸を中心として、その周方向に９０度変位して配置された吸込用接続口体１０５、および吐出用接続口体１０６と、ケーシング１０４の一面側に設けられた第１の取り付け面部１０７と、ケーシング１０４の他面側に第１の取り付け面部１０７と同一の形状で対照的に設けられた第２の取り付け面部１０８を具備している。
【０００６】
ケーシング１０４はモータ１０２側の取り付けフレーム１０３に対し、第１の取り付け面部１０７側、あるいは第２の取り付け面部１０８側から選択的に着脱自在に取り付けられることにより、吸込用接続口体１０５の位置を１８０度可変できるように構成されている。
【先行技術文献】
【特許文献】
【０００７】
【特許文献１】特開２０１０−１８５３０５号公報
【発明の概要】
【発明が解決しようとする課題】
【０００８】
このような従来の渦流ポンプにおいては、渦流ポンプの構成部品であるケーシングには、配管接続のための吸込接続口および吐出接続口を定位置に各１個備えている。
【０００９】
しかし、ポンプ本体の設置位置によっては配管方向を制限される場合があり、接続口に配管を接続する際に、配管接続作業が実施しにくい場合があるという課題がある。
【００１０】
そこで本発明は、上記従来の課題を解決するものであり、接続口に配管を接続する際に、配管接続の接続方向の組み合わせが複数あることにより、容易に配管接続作業ができる渦流ポンプを得ることを目的とする。
【課題を解決するための手段】
【００１１】
そして、この目的を達成するために、本発明の一態様に係る渦流ポンプは、複数の羽根溝を有する円板状のインペラと、前記インペラを収納する渦流室を有するケーシングと、回転軸を有するモータとを備え、前記インペラは前記回転軸の回転により軸回りに回転し、回転する前記インペラの各羽根溝が前記渦流室内において液体に渦流を発生させることで液体を送り出す渦流ポンプであって、前記ケーシングは液体を吸い込む吸込口と液体を吐き出す吐出口として接続口を有し、前記接続口は、第１左接続口、第２左接続口、第１右接続口および第２右接続口を含むことを特徴としたものであり、これにより所期の目的を達成するものである。
【発明の効果】
【００１２】
本発明によれば、接続口に配管を接続する際に、配管接続の接続方向の組み合わせが複数あることにより、容易に配管接続作業ができる渦流ポンプを提供できる。
【図面の簡単な説明】
【００１３】
【図１】本発明の実施の形態１の渦流ポンプの外観斜視図
【図２】同ポンプのケーシングの正面断面を示す構成図
【図３】別の例のケーシングの正面断面を示す構成図
【図４】更に別の例のケーシングの正面断面を示す構成図
【図５】更に別の例のケーシングの正面断面を示す構成図
【図６】更に別の例のケーシングの正面断面を示す構成図
【図７】従来の渦流ポンプの側面を示す構成図
【発明を実施するための形態】
【００１４】
本発明の一態様に係る渦流ポンプは、複数の羽根溝を有する円板状のインペラと、前記インペラを収納する渦流室を有するケーシングと、回転軸を有するモータとを備え、前記インペラは前記回転軸の回転により軸回りに回転し、回転する前記インペラの各羽根溝が前記渦流室内において液体に渦流を発生させることで液体を送り出す渦流ポンプであって、前記ケーシングは液体を吸い込む吸込口と液体を吐き出す吐出口として接続口を有し、前記接続口は、第１左接続口、第２左接続口、第１右接続口および第２右接続口を含む構成を有している。
【００１５】
この構成によれば、接続口に配管を接続する際に、配管接続の接続方向の組み合わせが複数あることにより、容易に配管接続作業ができる。
【００１６】
すなわち、配管接続時の接続方向の組み合わせを増加させることで、ポンプ本体の設置位置によって配管方向を制限されるということが少なくなるため、容易に配管接続作業ができるのである。
【００１７】
以下、本発明の実施の形態について図面を参照しながら説明する。
（実施の形態１）
図１および図２に示すように、渦流ポンプは、ケーシング１とモータ２とインペラ１２とを備えており、さらに冷却ファン（不図示）とファンカバー３と端子カバー４とを備えていてもよい。
【００１８】
ケーシング１はハウジング１ａおよびカバー１ｂを含む。ハウジング１ａはカバー１ｂに対してモータ２側に設けられる。カバー１ｂはハウジング１ａの開口部を覆うように設けられる。ハウジング１ａとカバー１ｂとの間に渦流室１３が設けられる。
【００１９】
冷却ファンは、モータ２を冷却するものであり、ファンカバー３に覆われている。
【００２０】
端子カバー４は端子を覆うものである。
【００２１】
モータ２は回転軸１１を有する。回転軸１１にインペラ１２が固定されている。
【００２２】
インペラ１２は例えば円板状で且つ外周縁の両面に放射状に並ぶ多数の羽根溝を備えている。インペラ１２はハウジング１ａとカバー１ｂとの間に配置される。すなわち、インペラ１２は渦流室１３内に配置される。
【００２３】
回転軸１１の軸方向から見て優弧状をなす渦流室１３は、液体を吸い込む吸込口と液体を吐き出す吐出口として接続口を備える。この接続口は、第１左接続口５ａ、第２左接続口５ｂ、第１右接続口６ａおよび第２右接続口６ｂを有している。第２左接続口５ｂと第２右接続口６ｂとの間を仕切るのは隔壁１４である。
【００２４】
このような構成によれば、接続口に配管を接続する際に、配管接続の接続方向の組み合わせが複数あることにより、容易に配管接続作業ができる渦流ポンプを提供できる。
【００２５】
図２では、第２左接続口５ｂおよび第１右接続口６ａは栓７で封止される。液体供給側の配管は第１左接続口５ａに接続され、液体吐出側の配管は第２右接続口６ｂに接続される。
【００２６】
モータ２の回転方向１５は回転軸１１から見て反時計周りに回転し、回転軸１１に固定されているインペラ１２も同様に反時計周りに回転されるため、液体の流れ１６を第１左接続口５ａと第２右接続口６ｂとの間に流すことができる。
【００２７】
第１左接続口５ａおよび第２左接続口５ｂはケーシング１の中心よりも左側に設けられる。
【００２８】
第１右接続口６ａおよび第２右接続口６ｂはケーシング１の中心よりも右側に設けられる。
【００２９】
第２左接続口５ｂは第１左接続口５ａよりも上方に設けられ、第２右接続口６ｂは第１右接続口６ａよりも上方に設けられる。
【００３０】
図２に示す構成によれば、左側の方向から液体を吸い込み、上側の方向に液体を吐き出すことが可能となることで、接続方向の選択肢が増加するため、配管施工が容易となる。
【００３１】
図３に示すように、第１左接続口５ａおよび第２右接続口６ｂを栓７で封止し、液体供給側の配管を第２左接続口５ｂに接続し、液体吐出側の配管を第１右接続口６ａに接続する構成にしてもよい。
【００３２】
この構成によれば、液体の流れ１６を第２左接続口５ｂと第１右接続口６ａとの間に流すことができ、上側の方向から液体を吸い込み、右側の方向に液体を吐き出すことが可能となることで、さらに接続方向の選択肢が増加するため、配管施工が容易となる。
【００３３】
図４に示すように、第１左接続口５ａおよび第１右接続口６ａを栓７で封止し、液体供給側の配管を第２左接続口５ｂに接続し、液体吐出側の配管を第２右接続口６ｂに接続する構成にしてもよい。
【００３４】
この構成によれば、液体の流れ１６を第２左接続口５ｂと第２右接続口６ｂとの間に流すことができ、上側の方向から液体を吸い込み、上側の方向に液体を吐き出すことが可能となることで、さらに接続方向の選択肢が増加するため、配管施工が容易となる。
【００３５】
図５に示すように、第２左接続口５ｂおよび第２右接続口６ｂを栓７で封止し、液体供給側の配管を第１左接続口５ａに接続し、液体吐出側の配管を第１右接続口６ａに接続する構成にしてもよい。
【００３６】
この構成によれば、液体の流れ１６を第１左接続口５ａと第１右接続口６ａとの間に流すことができ、左側の方向から液体を吸い込み、右側の方向に液体を吐き出すことが可能となることで、さらに接続方向の選択肢が増加するため、配管施工が容易となる。
【００３７】
また、図６は、図３に対して、モータ２の回転軸１１を逆回転させることが可能な回路を備えた構成である。この構成により、回転方向１５が時計周りに回転されるため、液体の流れ１６を第１右接続口６ａと第２左接続口５ｂとの間に流すことができ、右側から液体を吸い込み、上側に液体を吐き出すことを可能としている。
【００３８】
なお、図２、図４、図５等に示す構成に対して、モータ２の回転軸１１を逆回転させることが可能な回路を備えてもよい。
【００３９】
モータ２を逆回転させる場合、図２〜図５に示す構成の栓７を、ケーシング１の中心を通る線に対して左右対称位置に変更して配置することもできる。この場合、液体を右側からケーシング１の中心を通る線に対して左右対称方向に流すことができるようになる。このため、右側または上側の任意の方向から液体を吸い込み、左側または上側の任意の方向に液体を吐き出すことが可能となり、接続方向の選択肢が増加するため、さらに配管施工が容易となる。
【００４０】
なお、例えば図２に示す構成の栓７をケーシング１の中心を通る線に対して左右対称位置に変更して配置する場合、第１左接続口５ａおよび第２右接続口６ｂは栓７で封止され、液体は第２左接続口５ｂと第１右接続口６ａとの間に流れることになる。そして、モータ２を逆回転させれば、液体は第１右接続口６ａから第２左接続口５ｂへ流れることになる。図３〜図５においても、同様に、栓７をケーシング１の中心を通る線に対して左右対称位置に変更して配置することは可能である。
【００４１】
また、横側から液体を渦流室１３に入れるのに適した例としては、井戸から水をくみ上げる場合が挙げられる。
【００４２】
また、上側から液体を渦流室１３に入れるのに適した例としては、貯水タンクに溜めた水をくみ上げる場合が挙げられる。
【００４３】
また、ケーシング１の中心を通る線に対して、左側に２つ、右側に２つの接続する口を設けたが、ケーシング１の中心を通る線を基準にするとは限らない。例えば、ケーシング１の中心よりも少し左側（例えばインペラ１２の左端）における鉛直線を基準として、左側に２つ、右側に２つの接続する口を設けてもよいし、ケーシング１の中心よりも少し右側（例えばインペラ１２の右端）における鉛直線を基準として、左側に２つ、右側に２つの接続する口を設けてもよい。このような鉛直線はケーシング１の中心近傍の鉛直線ということもできる。
【００４４】
以上、本発明に係る渦流ポンプについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００４５】
本発明に係る渦流ポンプは、水などの液体の圧送に使用される渦流ポンプ等の構成として有用である。
【符号の説明】
【００４６】
１    ケーシング
１ａ    ハウジング
１ｂ    カバー
２    モータ
３    ファンカバー
４    端子カバー
５ａ    第１左接続口
５ｂ    第２左接続口
６ａ    第１右接続口
６ｂ    第２右接続口
７    栓
１１    回転軸
１２    インペラ
１３    渦流室
１４    隔壁
１５    回転方向
１６    液体の流れ
１０１    ベース
１０２    モータ
１０３    フレーム
１０４    ケーシング
１０５    吸込用接続口体
１０６    吐出用接続口体
１０７    第１の取り付け面部
１０８    第２の取り付け面部
【図１】
2018123684.tif 000003
【図２】
2018123684.tif 000004
【図３】
2018123684.tif 000005
【図４】
2018123684.tif 000006
【図５】
2018123684.tif 000007
【図６】
2018123684.tif 000008
【図７】
2018123684.tif 000009